(57)【要約】【課題】携帯電話機を電波の微弱な場所でも使用できるようにするために、携帯可能な電波収束用誘電体を備えた電波収束器を提供する。【解決手段】携帯可能なサイズの電波収束器ケーシング本体の蓋体に、フレネルゾーン・プレート効果を発生させる形状の鋼線等の誘電体を取り付け、この電波収束用誘電体に携帯電話のアンテナを近づけることにより電波の微弱な場所においても収束電波を捕獲して交信状態を改善できるようにした。また、ケーシング本体に太陽電池又は太陽電池によって充電される２次電池を設けて、携帯電話機を充電できるようにし、かつ電波収束器とを併用することにより交信機能を向上させるようにした。【選択図】図１
0003106151.tif 000002
【実用新案登録請求の範囲】
【請求項１】
小型の箱型ケーシング本体と、該ケーシング本体にヒンジ部を介して開閉可能に設けた蓋体と、該ケーシング本体と蓋体とに取り付けた両者を係止固定する蓋止部と、該蓋体に設けた鋼線等の誘電体とからなることを特徴とする携帯電話機用電波収束器。
【請求項２】
上記誘電体は、該蓋体面の中心部に長手方向に短尺状に設けられ、それを中心として蓋体面の上下方向に長尺状に順次長くなるように複数個配置されたものであることを特徴とする請求項１に記載の携帯電話機用電波収束器。
【請求項３】
上記誘電体は、該蓋体面の中心部に長手方向に短尺状に設けられ、それを中心として蓋体面の上下方向及び長手方向に長尺状に順次長くなるように複数個配置されたものであることを特徴とする請求項１に記載の携帯電話機用電波収束器。
【請求項４】
上記誘電体は、該蓋体面の中心部に長手方向に短尺状に設けられ、それを中心としてその外側に長楕円形状に順次大きくなるように複数個配置されたものであることを特徴とする請求項１に記載の携帯電話機用電波収束器。
【請求項５】
上記ケーシング本体上面に太陽電池を装着し、該ケーシング本体の側部にコネクタージャックを取り付け、該コネクタージャックにコネクターコードのプラグ等を挿入できるようにしたことを特徴とする請求項１ないし４のいずれかに記載の携帯電話機用電波収束器。
【請求項６】
上記ケーシング本体内に設けた２次電池収納部に太陽電池用２次電池を収納し、該ケーシング本体の底部で２次電池収納部下部に差込下蓋を取り付けたことを特徴とする請求項１ないし５のいずれかに記載の携帯電話機用電波収束器。
【考案の詳細な説明】
【技術分野】
【０００１】
本考案は、電波の微弱なトンネル内、地下道構内、山間部又はビル内等で携帯電話機を使用するときに、電波を収束する電波収束器を用いることにより難聴状態を改善する携帯電話機用電波収束器に関するものである。
【背景技術】
【０００２】
携帯電話機は、その電池が充分にあるにもかかわらず、トンネル内、地下道構内、山間部又は古いビル内のような電波が微弱な場所では、交信が困難となり通話ができない場合が多い。
【０００３】
これまで熱線反射ガラス板の透明性を有する金属等の薄膜に電波収束パターンを構成するようにしてフレネルゾーン・プレートを形成し電波を収束する方法があったが、電波を室内にも届くようにする目的で設置されるもので、個々の携帯電話の電波の増幅を意図するものではなかった(例えば、特許文献１参照)
。
【０００４】
携帯電話機は、電源である電池が不充分な場合も受信、発信の電波が微弱になって交信ができなくなるが、そのような場合は家庭用電源や車用バッテリー或いは太陽電池を利用した充電器によって充電することができる。しかし、充電が充分になされたとしても、前記のような微弱な電波の地域では交信はきわめて困難である（例えば、特許文献２参照）。
【特許文献１】特開２００２−１７１１２０
【特許文献２】特開平１１−１０３３３６
【考案の開示】
【考案が解決しようとする課題】
【０００５】
携帯電話機の電池の出力が充分でない場合は、充電することにより交信が可能になるが、電波の微弱な場所では電源が充分に得られたとしても交信は困難である。車のアンテナと携帯電話機のアンテナとを導線で接続すると交信できる場合もあるが、これらは特殊な例であって一般的に微弱な電波の地域では携帯電話機の使用は制限される。
【０００６】
フレネルゾーン・プレートを形成して電波収束をする方法は、ビル等で冷暖房用熱線反射ガラスを使用することによるビル内への電波の遮蔽を防ぐため、電波の一部を室内に届くように電波収束をするのが目的で設置されるものである。これはビル等での省エネルギー対策のために外気温と内気温を遮断するような建築物を対象とするもので、個々の携帯電話機の電波増幅を考慮したものではない。
【課題を解決するための手段】
【０００７】
本考案は、従来の携帯電話機の欠点を改善するためになされたもので、鋼線等の誘電体をフレネルゾーン効果を生成するパターンに形成すると電波を収束するという性質を利用したもので、複数本の鋼線等の誘電体を用いて微弱電波を収束し、それを携帯電話機のアンテナの適切な位置に近づけることによって、収束した電波を捕獲し通信状態を改善できるようにした。
【０００８】
小型の箱型ケーシング本体１６に開閉可能な蓋体４を設け、該蓋体４にはフレネルゾーン・プレートを形成するための鋼線等の誘電体が設けられている。該蓋体４の鋼線等の誘電体の配置パターンとしては、該誘電体を蓋体４面の中心部に長手方向に短尺状に設け、それを中心として蓋体４面の上下方向に長尺状に順次長くなるように複数個配置して電波収束アンテナＸ５を構成する。
【０００９】
もうひとつの誘電体の配置パターンとしては、該誘電体を蓋体４面の中心部に長手方向に短尺状に設け、それを中心として蓋体４面の上下方向及び長手方向に長尺状に順次長くなるように複数個を配置して電波収束アンテナＹ６を構成する。また、いまひとつの誘電体の配置パターンとしては、該誘電体を蓋体４面の中心部に長手方向に短尺状に設け、それを中心としてその外側に長楕円形状に順次大きくなるように複数個配置して電波収束アンテナＺ２１を構成する。
【００１０】
これら上記電波収束アンテナＸ５、Ｙ６、Ｚ２１などによってその周辺の電波１９を収束し、携帯電話機２のアンテナ１７をそこに近づけることにより、収束電波２０がアンテナ１７に捕獲されやすくなり通信状態が改善されることになる。なお、電波収束アンテナＸ５、Ｙ６、Ｚ２１は、蓋体４を開いたときも閉じたときも蓋体４の表裏のいずれからも電波１９を収束できるように設けられる。
【００１１】
携帯電話機２の電池の電気量が減少すると、その機能が低下するので、ケーシング本体１６には太陽電池３を装着する。日照時間帯（曇天でも可）に本電波収束器の蓋体４を開いて太陽電池３に受光させ、該太陽電池３と携帯電話機２とを電源コネクターコード１２により接続して充電することができる。蓋体４を開いた状態のままでも電波収束アンテナＸ５、Ｙ６、Ｚ２１によって電波１９を収束することができ、これに携帯電話機２を近づけると携帯電話機２のアンテナ１７が収束電波２０を捕獲する。
【００１２】
夜間などに携帯電話機２が電池切れを起こした場合に備えて、ケーシング本体１６の太陽電池装着部１の内部に２次電池収納部８を設ける。この２次電池収納部８にリチウムイオン電池等充電式２次電池７を収納し、日照時間帯に太陽電池３により充電する。夜間に携帯電話機２を使用していて電池が切れた場合は、この２次電池７から携帯電話機２に充電することにより通話を続けることができる。また、電波１９の微弱な場所で交信が困難な場合、携帯電話機２に本装置の２次電池７を接続することによって電力をパワーアップし、本装置の蓋体４に設置した電波収束アンテナＸ５、Ｙ６、Ｚ２１に携帯電話機２のアンテナ１７を近づけることによって、容易に交信を回復することができる。
【考案の効果】
【００１３】
携帯電話機の電池が充分あるにもかかわらず難聴なトンネル内、地下道構内、山間部又はビル内などの電波が微弱な場所においても、本考案の蓋体に取付けた電波収束アンテナに携帯電話機を近づけることにより、音声が明瞭になり交信を改善させることができる。
【００１４】
本装置に装着の太陽電池によって発電させることができるので、携帯電話機の電池の電気量が不足し通信が困難になった場合でも、それを携帯電話機に接続して通信を回復させることができる。また、夜間等で携帯電話機の電池切れになった場合は、あらかじめ本装置の太陽電池で充電した２次電池に携帯電話機を接続することによって、携帯電話機を充電することができる。
【００１５】
携帯電話機を本装置に接続することによって、太陽電池からの電力を直接入力又は充電することができるばかりでなく、電波収束アンテナに近づけて電波収束機能を併用することによって交信状態を著しく改善させることができる。
【考案を実施するための最良の形態】
【００１６】
本考案の携帯電話機用電波収束器は、小型の箱型ケーシング本体１６にヒンジ部１３を支点として回動Ｒをする開閉可能な蓋体４を取り付け、該蓋体４を閉じたときケーシング本体１６に係止固定する蓋止部１４を取り付ける。該蓋体４には鋼線等の誘電体を配設してフレネルゾーン・プレートを形成させ、蓋体４の開時でも閉時でも両面から電波１９を受信できるようにする((図５、図６)。
【００１７】
フレネルゾーン・プレートを形成させる鋼線等の誘電体として、蓋体４面の中心部に鋼線等の誘電体を長手方向に短尺状に設け、それを中心として蓋体４面の上下方向に長尺状に順次長くなるように複数個配置して電波収束アンテナＸ５を構成する(図１、図４、図５)。また、鋼線等の誘電体として、蓋体４面の中心部に鋼線等の誘電体を長手方向に短尺状に設け、それを中心として蓋体４面の上下方向に長尺状に順次長くなるように複数個を配置しかつ蓋体４面の長手方向にも長尺状に順次長くなるように複数個配置して電波収束アンテナＹ６を構成する(図２)。
【００１８】
鋼線等の誘電体のいまひとつのパターンは、上記蓋体４面の中心部の短尺状誘電体を中心としてその外側に長楕円形状に順次大きくなるように複数個配置させて電波収束アンテナＺ２１を構成する（図３）。なお、電波収束アンテナＸ５、電波収束アンテナＹ６、電波収束アンテナＺ２１は、蓋体４を開いたときも閉じたときも蓋体４の両面から電波１９を受信できるように設ける。
【００１９】
携帯電話機２の電池が充分にあるにもかかわらず、トンネル内、地下道構内、山間部又はビル内等電波が微弱で通信不能の場合、蓋体４を閉じた状態又は開いた状態で電波１９は電波収束アンテナＸ５等により収束し、電波収束器を携帯電話機２のアンテナ１７に半径２０ｃｍから３０ｃｍ内などの一定の距離に近づけると、収束電波２０を受信して携帯電話機２の交信状態を改善させることができる（図１、図２、図８）。
【００２０】
ケーシング本体１６の上面に太陽電池装着部１を設けそこに太陽電池３を装着する。該蓋体４には蓋止部１４をケーシング本体１６には蓋止受部１５を設け、蓋体４を閉じることにより太陽電池３が保護されるようになっている（図１、図５）。また、該ケーシング本体１６の側部には、電源コネクターコード１２のプラグａ１０が挿入可能なコネクタージャック９を取り付け、携帯電話機２に接続できるようになっている。
【００２１】
携帯電話機２の電池の電気量が不足し通信が困難になった場合、本考案装置に装着の太陽電池３によって発電させ、それを携帯電話機２に接続して通信を回復させることができ、電波収束アンテナＸ５等と併用することにより交信状態を著しく改善させることができる。
【００２２】
夜間などのように光源がなく太陽電池３に充電できない場合に備えて、ケーシング本体１６には充電式の２次電池７を設ける。該ケーシング本体１６の太陽電池装着部１の下部に２次電池７を収納する２次電池収納部８を設け、そこにリチウムイオン電池等の２次電池７を装填する。該ケーシング本体１６の底部に差込下蓋１８を取り付け、下蓋を開閉して太陽電池用２次電池７を収納脱着できるようにする(図４、図７)。
【００２３】
携帯電話機２が電池切れになった場合、昼間の日照時間帯であれば本装置の太陽電池３に接続することによって直接充電することができる。この場合、必ずしも直射日光に当て受光する必要はなく、曇天の場合でも充電は可能である。夜間等で携帯電話機２の電池切れになった場合は、あらかじめ本装置の太陽電池３で充電した２次電池７に携帯電話機２を接続することによって、携帯電話機２に充電することができる。
【００２４】
本装置と携帯電話機２とを接続する際は、ケーシング本体１６の側面に設けたコネクタージャック９にプラグａ１０を挿入し、該プラグａ１０に接続した電源コネクターコード１２の他端のプラグｂ１１を携帯電話機２の充電端子に挿入する（図１）。日夜間等や交信状態が思わしくない場合には、本装置の２次電池７に、電源コネクターコード１２等で携帯電話機２と接続し、電波収束アンテナＸ５、電波収束アンテナＹ６あるいは電波収束アンテナＺ２１とを併用することにより交信機能を一層向上させることができる（図４、図７）。
【実施例】
【００２５】
電波収束器のケーシング本体を長さ８０ｍｍ、幅５０ｍｍ、蓋体の厚さ３ｍｍ、総厚さ１０ｍｍとし、蓋体に２ｍｍφの鋼線を中心に１０ｍｍ、上下に向かって３０ｍｍ、５０ｍｍの長さを５本取り付けた。また、太陽電池装着部には長さ７０ｍｍ、幅４０ｍｍ、厚さ２ｍｍの太陽電池を装填した。
【００２６】
ビルの室内、また１５０ｍのトンネル中心部附近では電波が微弱でかすかに人の声は聴こえるが何を言っているか判別できない状況下で、前記電波収束器のケーシング本体を携帯電話機のアンテナへ約２０ｃｍに近づけると、相手の音声が明確に聞こえるようになった。
【００２７】
長時間通話しているうちに携帯電話機の電池切れで通信不能となったので、曇天下において屋外に出て太陽電池より充電し、ケーシング本体を携帯電話機のアンテナから約２５ｃｍに近づけたところ、即座に通信が可能となり各種の携帯電話機能が回復した。
【図面の簡単な説明】
【００２８】
【図１】携帯電話機用電波収束器Ｘの使用状態図である。
【図２】太陽電池付電波収束器Ｙの配置図である。
【図３】太陽電池付電波収束器Ｚの配置図である。
【図４】充電用電池付電波収束器である。
【図５】電波収束器の蓋体を閉じた状態図である。
【図６】電波収束器の蓋体のＡ−Ａ断面図である。
【図７】電波収束器本体のＢ−Ｂ断面図である。
【図８】電波収束器を用いて電波を収束している状態を示す。
【符号の説明】
【００２９】
１    太陽電池装着部
２    携帯電話機
３    太陽電池
４    蓋体
５    電波収束アンテナＸ
６    電波収束アンテナＹ
７    ２次電池
８    ２次電池収納部
９    コネクタージャック
１０    プラグａ
１１    プラグｂ
１２    電源コネクターコード
１３    ヒンジ部
１４    蓋止部
１５    蓋止受部
１６    ケーシング本体
１７    アンテナ
１８    差込下蓋
１９    電波
２０    収束電波
２１    電波収束アンテナＺ
【図１】
0003106151.tif 000003
【図２】
0003106151.tif 000004
【図３】
0003106151.tif 000005
【図４】
0003106151.tif 000006
【図５】
0003106151.tif 000007
【図６】
0003106151.tif 000008
【図７】
0003106151.tif 000009
【図８】
0003106151.tif 000010